(57)【要約】【課題】簡単にデータのコピー先フォルダを分類する。【解決手段】ストレージ装置１は、ＤＳＣ２とデータの送受を行うＩ／Ｆ部２１と、Ｉ／Ｆ部２１からのデータをドライバ２２を介して記録媒体２３に記録する記録制御部２４と、記録制御部２４に対してダイレクトコピーを指示するコピー開始ＳＷ３とを備えて構成される。記録制御部２４はＤＳＣ２の画像処理部１２と交信しタイマー１６より日時情報を取得しダイレクトコピーのコピー先フォルダの作成日時情報とする。【選択図】  図３
2004357255.tif 000002
【特許請求の範囲】
【請求項１】
日時情報を有するデータ記録再生装置に記録されるデータファイル／フォルダをダイレクトコピーして記録・保存するストレージ装置において、
ダイレクトコピー開始時に前記データファイル／フォルダを格納するコピー先フォルダを作成するフォルダ作成手段と、
前記データ記録再生装置より日時情報を取得する日時情報取得手段と、
前記コピー先フォルダの作成日時情報を前記日時情報取得手段が取得した日時情報とするフォルダ日時設定手段と
を備えたことを特徴とするストレージ装置。
【請求項２】
前記データファイル／フォルダの作成日時と前記日時情報取得手段が取得した日時情報とを比較する日時比較手段と、
前記日時比較手段の比較結果に基づき前記フォルダ日時設定手段が設定した日時を変更する日時情報変更手段と
を備えたことを特徴とする請求項１に記載のストレージ装置。
【請求項３】
前記データ記録再生装置は、映像データ及び／または音声データを記録する
ことを特徴とする請求項１に記載のストレージ装置。
【請求項４】
前記データファイル／フォルダの作成日時と前記日時情報取得手段が取得した日時情報とを比較する日時比較手段と、
前記日時比較手段の比較結果に基づき前記データ記録再生装置に日時異常を通知する通知手段と
を備えたことを特徴とする請求項１に記載のストレージ装置。
【請求項５】
日時情報を有するデータ記録再生装置に記録されるデータファイル／フォルダをストレージ装置にダイレクトコピーするダイレクトコピー方法において、
ダイレクトコピー開始時に前記データファイル／フォルダを格納するコピー先フォルダを作成するフォルダ作成工程と、
前記データ記録再生装置より日時情報を取得する日時情報取得工程と、
前記コピー先フォルダの作成日時情報を前記日時情報取得工程が取得した日時情報とするフォルダ日時設定工程と
を備えたことを特徴とするダイレクトコピー方法。
【発明の詳細な説明】
【０００１】
【発明の属する技術分野】
本発明は、データ記録再生装置に記録されるデータをダイレクトコピーして記録・保存するストレージ装置及びダイレクトコピー方法に関する。
【０００２】
【従来の技術】
従来、デジタルスチルカメラにより収録された画像データや音声データを、カメラに内蔵されたメモリやメモリカードとは別の記録媒体（ＭＯ、ＣＤ−Ｒ、ＣＤ−ＲＷなど）に記録するための専用のストレージ装置においては、撮影した日付や撮影に使用した機種などに関わらず、同時に選択された複数のデータは同一のフォルダ内に格納して記録していた。その際、各フォルダは、撮影した日付や撮影に使用した機種などが共通もしくは関連するデータと無関係に生成されていた。
【０００３】
従来のストレージ装置においては、撮影した日付や撮影に使用した機種が異なる場合でも、同時に選択された複数のデータは同一のフォルダ内に格納して記録されていたため、記録媒体の容量が大きくなればなるほど、記録後に希望するデータを探し出し難くなるという問題があった。
【０００４】
そこで、例えば特開２００１−５７０５６号公報では、記録するデータに添付される属性、例えば作成日付情報を抽出してフォルダを分類するストレージ装置を提案している。
【０００５】
【特許文献１】
特開２００１−５７０５６号公報
【０００６】
【発明が解決しようとする課題】
しかしながら、上記特開２００１−５７０５６号公報提案のようなデータ記録装置においては、データの記録するデータに添付される属性を抽出するためには、データを作成したアプリケーションソフトを認識できなければならず、異なる複数の形式のデータに対してそれぞれのアプリケーションソフト認識手段を備える必要があるといった問題がある。
【０００７】
本発明は、上記事情に鑑みてなされたものであり、簡単にデータのコピー先フォルダを分類することのできるストレージ装置を提供することを目的としている。
【０００８】
【課題を解決するための手段】
本発明のストレージ装置は、日時情報を有するデータ記録再生装置に記録されるデータファイル／フォルダをダイレクトコピーして記録・保存するストレージ装置において、ダイレクトコピー開始時に前記データファイル／フォルダを格納するコピー先フォルダを作成するフォルダ作成手段と、前記データ記録再生装置より日時情報を取得する日時情報取得手段と、前記コピー先フォルダの作成日時情報を前記日時情報取得手段が取得した日時情報とするフォルダ日時設定手段とを備えて構成される。
【０００９】
【発明の実施の形態】
以下、図面を参照しながら本発明の実施の形態について述べる。
【００１０】
図１ないし図５は本発明の第１の実施の形態に係わり、図１はストレージ装置によるダイレクトコピー時の接続形態を示す図、図２は図１のＤＳＣの背面構成を示す図、図３は図１のストレージ装置及びＤＳＣの構成を示す図、図４は図３の記録制御部の処理の流れを説明するフローチャート、図５は図４の処理を説明する図である。
【００１１】
図１に示すように、本実施の形態のストレージ装置１は、日時情報を有するデジタルスチルカメラ（以下、ＤＳＣ）２と接続され、コピー開始ＳＷ３を押下することでＤＳＣ２で撮影された画像データをダイレクトコピーするようになっている。図２に示すように、ＤＳＣ２の背面には、撮影した画像を表示したり各種設定画面を表示する液晶表示部４が設けられている。
【００１２】
図３に示すように、ＤＳＣ２は、画像を撮像する撮像部１１と、撮像した画像を画像処理する画像処理部１２と、画像処理した画像や各種設定画面を表示する前記液晶表示部４と、撮影や各種設定を行う操作ＳＷ１３と、画像処理した画像データを所定のファイルシステム（ＦＡＴ３２等）で記録する記録部１４と、ストレージ装置１とデータの送受を行うＩ／Ｆ部１５とを備え、画像処理部１２は内蔵するタイマー１６により日時情報を有して記録部１４でのデータの管理を行っている。
【００１３】
一方、ストレージ装置１は、ＤＳＣ２とデータの送受を行うＩ／Ｆ部２１と、Ｉ／Ｆ部２１からのデータをドライバ２２を介して記録媒体２３に記録する記録制御部２４と、記録制御部２４に対してダイレクトコピーを指示するコピー開始ＳＷ３とを備えて構成される。記録制御部２４はＤＳＣ２の画像処理部１２と交信しタイマー１６より日時情報を取得しダイレクトコピーのコピー先フォルダの作成日時情報とする。
【００１４】
このように構成された本実施の形態の作用について説明する。
【００１５】
図４に示すように、ストレージ装置１の記録制御部２４は、ステップＳ１でコピー開始ＳＷ３が押下されると、ステップＳ２でＤＳＣ２の画像処理部１２に日時を問い合わせる。そして、ステップＳ３でコピー先フォルダを作成し、フォルダ作成日時を問い合わせて得られた日時とする。
【００１６】
そして、ステップＳ４でＤＳＣ２からファイル／フォルダを１つリードしてコピー先フォルダにコピーし、ステップＳ５で全てのファイル／フォルダのコピーが終了したかどうか判断する。
【００１７】
全てのファイル／フォルダのコピーが終了までステップＳ４とＳ５を繰り返し、全てのファイル／フォルダのコピーが終了すると、ステップＳ６でＤＳＣ２にコピー先フォルダのフォルダ名及びフォルダ作成日時を送信し、液晶表示部４に表示させて処理を終了する。
【００１８】
このような処理により、図５に示すように、ＤＳＣ２に格納されているコピー元のファイル／フォルダは、記録媒体２３上のダイレクトコピーを開始した日時情報を有するコピー先フォルダに記録でき、該日時情報に基づきコピー先フォルダが分類でき、記録媒体２３に記録されたコピー先フォルダを日時情報により容易に検索することが可能となる。
【００１９】
図６ないし図８は本発明の第２の実施の形態に係わり、図６は記録制御部の処理の流れを説明するフローチャート、図７は図６の処理において現在日時が異常と判断した場合に液晶表示部に表示される異常処理選択画面を示す図、図８は図６の処理を説明する図である。
【００２０】
第２の実施の形態は、構成は第１の実施の形態と同じであり、ダイレクトコピー処理のみ異なるので、異なる点のみ説明する。
【００２１】
本実施の形態では、図６に示すように、ステップＳ２１でＤＳＣ２の液晶表示部４でストレージ装置１にコピーするファイルが選択され、ステップＳ２２で操作ＳＷ１３によりコピー実行要求がなされると、ステップＳ２３でＤＳＣ２から選択された全てのファイルと現在日時情報を含むコピー要求リストがストレージ装置１に送信される。
【００２２】
ストレージ装置１の記録制御部２４は、ステップＳ２４でコピー先フォルダを作成し、フォルダ作成日時コピー要求リスト内の開始日時とする。
【００２３】
そして、ステップＳ２５でＤＳＣ２からファイル／フォルダを１つリードしてコピー先フォルダにコピーし、ステップＳ２６でコピー対象のファイル／フォルダの日時とコピー先フォルダの日時を比較し、コピー対象のファイル／フォルダの日時がコピー先フォルダの日時よりも後（未来）の日時かどうか判断する。
【００２４】
コピー対象のファイル／フォルダの日時がコピー先フォルダの日時よりも後（未来）の日時と判断されると、ステップＳ２７で現在時刻に異常があるかどうか判断して、異常がいない場合にはでステップＳ２８でコピー先フォルダの日時をコピー対象のファイル／フォルダの日時に変更しステップＳ２９に進み、コピー対象のファイル／フォルダの日時がコピー先フォルダの日時よりも後（未来）の日時ではないと判断するとそのままステップＳ２９に進む。
【００２５】
そして、全てのファイル／フォルダのコピーが終了までステップＳ２５〜Ｓ２９を繰り返し、全てのファイル／フォルダのコピーが終了すると、ステップＳ３０でＤＳＣ２にコピー先フォルダのフォルダ名及びフォルダ作成日時を送信し、液晶表示部４に表示させて処理を終了する。
【００２６】
また、ステップＳ２７で現在時刻に異常があると判断すると、ステップＳ３１でＤＣＳ２に異常を通知する。この通知を受けると、ＤＣＳ２は液晶表示部４に図７に示すような異常処理選択画面を表示しユーザによる「現在日時の修正」、「無視して続行」、「コピーキャンセル」のいずれかの異常処理の選択を待つ。異常処理が選択されると、ステップＳ３２で選択された異常処理が「現在日時の修正」かどうか判断し、「現在日時の修正」ならばステップＳ３３でＤＣＳ２において現在日時の修正を行いステップＳ２６に戻る。
【００２７】
異常処理が「現在日時の修正」でない場合は、ステップＳ３４で選択された異常処理が「無視して続行」かどうか判断し、「無視して続行」ならばステップＳ２８に戻り、で異常処理が「無視して続行」でないならば、「コピーキャンセル」なので、ステップＳ３５でコピー先フォルダとコピーしたファイル／フォルダを削除して処理を終了する。
【００２８】
このような処理により、図８に示すように、ＤＳＣ２に格納されているコピー元のファイル／フォルダは、ＤＳＣ２より送信されたコピー要求リストの開始日時を作成日時とするコピー先フォルダに記録されることになるが、図８においては、例えばコピー要求リストの開始日時（２００３／０１／０１  ００：００）とコピー元のファイル／フォルダの日時が異なり、コピー元のファイル／フォルダの日時のほうが新しい日時（２００３／０１／０１  １２：３４〜２００３／０１／０１  １２：３８）となっているので、上記ステップＳ２５〜Ｓ２８の処理によりコピー元のファイル／フォルダの最も新しい日時（２００３／０１／０１  １２：３８）をコピー先フォルダの作成日時に変更される。
【００２９】
これにより、本実施の形態では、第１の実施の形態の効果に加え、ＤＳＣ２のタイマー１６がリセット等されて狂いが生じたとしても、コピー元のファイル／フォルダの作成日時に基づいてコピー先フォルダの作成日時を変更するので、記録媒体２３に記録されたデータを確実にコピー元のファイル／フォルダの作成日時に基づいた日時により検索することができる。
【００３０】
なお、ファイルの日時は記録時ではなくファイルリード時に行ってもよく、また各ファイルの日時をコピー要求リストに含ませてもよい。コピー要求リストに含ませた場合は、コピー要求リスト受信時に開始日時とコピー元のファイル／フォルダの作成日時の最も新しい日時を比較・確認するようにしてもよい。
【００３１】
なお、第１の実施の形態では、ダイレクトコピーはストレージ装置１に設けられたコピー開始ＳＷ３の押下により行われるとしたが、本実施の形態では、ＤＳＣ２側でダイレクトコピーするファイルを選択してからダイレクトコピーを開始する例を説明するが、第１の実施の形態と同様にコピー開始ＳＷ３の押下によりダイレクトコピーを行う場合にも適用できることは言うまでもない。
【００３２】
本発明は、上述した実施の形態に限定されるものではなく、本発明の要旨を変えない範囲において、種々の変更、改変等が可能である。
【００３３】
【発明の効果】
以上説明したように本発明によれば、簡単にデータのコピー先フォルダを分類することができるという効果がある。
【図面の簡単な説明】
【図１】本発明の第１の実施の形態に係るストレージ装置によるダイレクトコピー時の接続形態を示す図
【図２】図１のＤＳＣの背面構成を示す図
【図３】図１のストレージ装置及びＤＳＣの構成を示す図
【図４】図３の記録制御部の処理の流れを説明するフローチャート
【図５】図４の処理を説明する図
【図６】本発明の第２の実施の形態に係る記録制御部の処理の流れを説明するフローチャート
【図７】図６の処理において現在日時が異常と判断した場合に液晶表示部に表示される異常処理選択画面を示す図
【図８】図６の処理を説明する図
【符号の説明】
１…ストレージ装置
２…ＤＳＣ
３…コピー開始ＳＷ
４…液晶表示部
１１…撮像部
１２…画像処理部
１３…操作ＳＷ
１４…記録部
１５，２１…Ｉ／Ｆ部
１６…タイマー
２２…ドライバ
２３…記録媒体
２４…記録制御部
【図１】
2004357255.tif 000003
【図２】
2004357255.tif 000004
【図３】
2004357255.tif 000005
【図４】
2004357255.tif 000006
【図５】
2004357255.tif 000007
【図６】
2004357255.tif 000008
【図７】
2004357255.tif 000009
【図８】
2004357255.tif 000010